(57)【要約】  成形システム装置で用いられるスクリュチップが開示される。スクリュチップは、接続部セクション及びスクリュチップヘッドセクションを含む。スクリュチップヘッドは、１つ又は複数の入口、蓄積室、及び逆止弁室を収容する。スクリュチップと組み立てられると逆止弁が設けられる。逆止弁は、円筒形の板、又は球形の部材、又は円錐形の部材であり得る。
2007537060.tif 000002
【特許請求の範囲】
【請求項１】
成形システム装置で用いられるスクリュチップであって、
本体と、
該本体の入口と、
該本体の逆止弁室と
を備え、該逆止弁室は、該入口と連通して流路を提供し、
該逆止弁室は、使用時に流れ位置と遮断位置との間で動作可能な並進可能部材と係合する面を有し、
該本体の前記端にある該逆止弁室は、使用時に材料流を制御するように動作可能である、成形システム装置で用いられるスクリュチップ。
【請求項２】
前記本体に複数の入口をさらに含み、
前記逆止弁室は、軸を中心として該本体の中央にあり、該本体の該複数の入口は、該逆止弁室と連通する、請求項１に記載のスクリュチップ。
【請求項３】
前記入口は、前記本体の面取りに沿って等間隔に離間した６つの別個の入口である、請求項１に記載のスクリュチップ。
【請求項４】
並進可能部材をさらに含み、
該並進可能部材は、前記軸を中心として前記逆止弁室内に位置決めされる、請求項１乃至３のいずれか一項に記載のスクリュチップ。
【請求項５】
前記並進可能部材はシール面を含み、
前記逆止弁室はシール面を含み、
前記遮断位置において、該並進可能部材の該シール面は、該逆止弁室の該シール面と係合して、使用時に材料流を防止する、請求項４に記載のスクリュチップ。
【請求項６】
支持ガイドをさらに含み、該支持ガイドは、前記本体及び前記並進可能部材と協働して、該並進可能部材を前記軸を中心として前記逆止弁室内に位置決めし、且つ該並進可能部材を使用時に前記流れ位置と前記遮断位置との間で動作させる、請求項４に記載のスクリュチップ。
【請求項７】
支持ガイドをさらに含み、該支持ガイドは、前記本体及び前記並進可能部材と協働して、該並進可能部材を前記軸を中心として前記逆止弁室内に位置決めし、且つ該並進可能部材を使用時に前記流れ位置と前記遮断位置との間で動作させる、請求項５に記載のスクリュチップ。
【請求項８】
前記支持ガイドは、前記逆止弁室の円周に沿って等間隔に離間した３つのピンであり、該ピンは、前記並進可能部材の側壁領域と係合して、使用時に前記並進可能部材の移動を支持及び案内する、請求項６又は７に記載のスクリュチップ。
【請求項９】
停止部材をさらに含み、該停止部材は、前記本体及び前記並進可能部材と協働して、使用時に前記流れ位置にある前記逆止弁内の該並進可能部材の移動を制限する、請求項６又は７に記載のスクリュチップ。
【請求項１０】
前記停止部材は、前記逆止弁室内にあり使用時に前記並進可能部材の面と係合する互いに等間隔に離間した一対のピンである、請求項９に記載のスクリュチップ。
【請求項１１】
前記並進可能部材は円筒形の板である、請求項４に記載のスクリュチップ。
【請求項１２】
前記並進可能部材は円筒形の板である、請求項４に記載のスクリュチップ。
【請求項１３】
前記並進可能部材は球形である、請求項４に記載のスクリュチップ。
【請求項１４】
前記並進可能部材はほぼ球形である、請求項４に記載のスクリュチップ。
【請求項１５】
前記並進可能部材はほぼ円錐形である、請求項４に記載のスクリュチップ。
【請求項１６】
アキュムレータ室をさらに含み、
該アキュムレータ室は、前記入口と前記逆止弁室との間にあり、使用時に溶融物流を該入口から該逆止弁室へ移送する、請求項９に記載のスクリュチップ。
【請求項１７】
前記スクリュチップをスクリュの相補的な係合部材に固定する係合部材をさらに含む、請求項１乃至３のいずれか一項に記載のスクリュチップ。
【請求項１８】
スクリュの端に一体形成される、請求項１乃至３のいずれか一項に記載のスクリュチップ。
【請求項１９】
前記本体の外面に形成される溝と、
該溝内に配置されて、使用時に前記スクリュチップをバレルの面に対してシールするシールと
をさらに含む、請求項１乃至３のいずれか一項に記載のスクリュチップ。
【請求項２０】
前記逆止弁室はほぼ円筒形の側壁を含み、
前記並進可能部材はほぼ円筒形のディスクであり、
該ほぼ円筒形のディスクの直径は、該ほぼ円筒形の側壁の直径よりも小さい、請求項５に記載のスクリュチップ。
【請求項２１】
前記逆止弁室は面取り部分を含み、
前記並進可能部材はほぼ球形であり、
該並進可能部材の直径は、使用時に前記流れ停止位置で該面取り部分と係合する、請求項５に記載のスクリュチップ。
【請求項２２】
前記逆止弁室は円錐形部分を含み、前記並進可能部材はほぼ円錐形であり、円錐形セクションが、使用時に前記流れ停止位置で該円錐形部分と係合する、請求項５に記載のスクリュチップ。
【請求項２３】
成形システム装置であって、
細長いスクリュと、
スクリュチップ体と、
該スクリュチップ体の入口と、
該前記スクリュチップ体の逆止弁室と
を備え、該逆止弁室は、該入口と連通して流路を提供し、
該逆止弁室は、使用時に流れ位置と遮断位置との間で動作可能な並進可能部材と係合する面を有し、
該前記スクリュチップ体の前記端にある該逆止弁室は、使用時に材料流を制御するように動作可能である、成形システム装置。
【請求項２４】
前記スクリュチップ体に複数の入口をさらに含み、
前記逆止弁室は、軸を中心として該本前記スクリュチップ体の中央にあり、該本スクリュチップ体の該複数の入口は、該逆止弁室と連通する、請求項２３に記載の装置。
【請求項２５】
前記入口は、前記本スクリュチップ体の面取りに沿って等間隔に離間した６つの別個の入口である、請求項２３に記載の装置。
【請求項２６】
並進可能部材をさらに含み、
該並進可能部材は、前記軸を中心として前記逆止弁室内に位置決めされる、請求項２３乃至２５のいずれか一項に記載の装置。
【請求項２７】
前記並進可能部材はシール面を含み、
前記逆止弁室はシール面を含み、
前記遮断位置において、前記並進可能部材の前記シール面は、前記逆止弁室の前記シール面と係合して、使用時に材料流を防止する、請求項２６に記載の装置。
【請求項２８】
支持ガイドをさらに含み、該支持ガイドは、前記本スクリュチップ体及び前記並進可能部材と協働して、該並進可能部材を前記軸を中心として前記逆止弁室内に位置決めし、且つ該並進可能部材を使用時に前記流れ位置と前記遮断位置との間で動作させる、請求項２６に記載の装置。
【請求項２９】
支持ガイドをさらに含み、該支持ガイドは、前記本スクリュチップ体及び前記並進可能部材と協働して、前記並進可能部材を前記軸を中心として前記逆止弁室内に位置決めし、且つ該並進可能部材を使用時に前記流れ位置と前記遮断位置との間で動作させる、請求項２７に記載の装置。
【請求項３０】
前記支持ガイドは、前記逆止弁室の円周に沿って等間隔に離間した３つのピンであり、該ピンは、前記並進可能部材の側壁領域と係合して、使用時に該並進可能部材の移動を支持及び案内する、請求項２８又は２９に記載の装置。
【請求項３１】
停止部材をさらに含み、該停止部材は、前記本スクリュチップ体及び前記並進可能部材と協働して、使用時に前記流れ位置にある前記逆止弁内の該並進可能部材の移動を制限する、請求項２８又は２９に記載の装置。
【請求項３２】
前記停止部材は、前記逆止弁室内にあり使用時に前記並進可能部材の面と係合する互いに等間隔に離間した一対のピンである、請求項３１に記載の装置。
【請求項３３】
前記並進可能部材は円筒形の板である、請求項２６に記載の装置。
【請求項３４】
前記並進可能部材はほぼ円筒形の板である、請求項２６に記載の装置。
【請求項３５】
前記並進可能部材は球形である、請求項２６に記載の装置。
【請求項３６】
前記並進可能部材はほぼ球形である、請求項２６に記載の装置。
【請求項３７】
前記並進可能部材はほぼ円錐形である、請求項２６に記載の装置。
【請求項３８】
アキュムレータ室をさらに含み、
該アキュムレータ室は、前記入口と前記逆止弁室との間にあり、使用時に溶融物流を該入口から該逆止弁室へ移送する、請求項２３又は２４に記載の装置。
【請求項３９】
前記スクリュチップをスクリュの相補的な係合部材に固定する係合部材をさらに含む、請求項２３乃至２５のいずれか一項に記載の装置。
【請求項４０】
前記スクリュチップは、スクリュの端に一体形成される、請求項２３乃至２５のいずれか一項に記載の装置。
【請求項４１】
前記スクリュチップ体の外面に形成される溝と、
該溝内に配置されて、使用時に前記スクリュチップをバレルの面に対してシールするシールと
をさらに含む、請求項２３乃至２５のいずれか一項に記載の装置。
【請求項４２】
前記逆止弁室はほぼ円筒形の側壁を含み、
前記並進可能部材はほぼ円筒形のディスクであり、
該ほぼ円筒形のディスクの直径は、該ほぼ円筒形の側壁の直径よりも小さい、請求項２７に記載の装置。
【請求項４３】
前記逆止弁室は面取り部分を含み、
前記並進可能部材はほぼ球形であり、
該並進可能部材の直径は、前記流れ停止位置で該面取り部分と係合する、請求項２７に記載の装置。
【請求項４４】
前記逆止弁室は円錐形部分を含み、前記並進可能部材はほぼ円錐形であり、円錐形セクションが、使用時に前記流れ停止位置で該円錐形部分と係合する、請求項２７に記載の装置。
【請求項４５】
成形システム装置であって、
バレルと、
前記バレル内に配置されて、使用時に回転及び並進するように動作可能な細長いスクリュと、
前記細長いスクリュの端に配置されるスクリュチップ体と、
該スクリュチップ体の入口と、
該スクリュチップ体の逆止弁室と
を備え、該逆止弁室は、該入口と連通して流路を提供し、
該逆止弁室は、使用時に流れ位置と遮断位置との間で動作可能な並進可能部材と係合する面を有し、
該スクリュチップ体の前記端にある該逆止弁室は、使用時に材料流を制御するように動作可能である、成形システム装置。
【請求項４６】
前記スクリュチップ体に複数の入口をさらに含み、
前記逆止弁室は、軸を中心として該スクリュチップ体の中央にあり、該スクリュチップ体の該複数の入口は、該逆止弁室と連通する、請求項４５に記載の装置。
【請求項４７】
前記入口は、前記スクリュチップ体の面取りに沿って等間隔に離間した６つの別個の入口である、請求項４５に記載の装置。
【請求項４８】
並進可能部材をさらに含み、
前記並進可能部材は、前記軸を中心として前記逆止弁室内に位置決めされる、請求項４５乃至４７のいずれか一項に記載の装置。
【請求項４９】
前記並進可能部材はシール面を含み、
前記逆止弁室はシール面を含み、
前記遮断位置において、該並進可能部材の該シール面は、該逆止弁室の該シール面と係合して、使用時に材料流を防止する、請求項４８に記載の装置。
【請求項５０】
支持ガイドをさらに含み、該支持ガイドは、前記スクリュチップ体及び前記並進可能部材と協働して、該並進可能部材を前記軸を中心として前記逆止弁室内に位置決めし、且つ該並進可能部材を使用時に前記流れ位置と前記遮断位置との間で動作させる、請求項４８に記載の装置。
【請求項５１】
支持ガイドをさらに含み、該支持ガイドは、前記スクリュチップ体及び前記並進可能部材と協働して、該並進可能部材を前記軸を中心として前記逆止弁室内に位置決めし、且つ該並進可能部材を使用時に前記流れ位置と前記遮断位置との間で動作させる、請求項４９に記載の装置。
【請求項５２】
前記支持ガイドは、前記逆止弁室の円周に沿って等間隔に離間した３つのピンであり、該ピンは、前記並進可能部材の側壁領域と係合して、使用時に該並進可能部材の移動を支持及び案内する、請求項５０又は５１に記載の装置。
【請求項５３】
停止部材をさらに含み、該停止部材は、前記スクリュチップ体及び前記並進可能部材と協働して、使用時に前記流れ位置にある前記逆止弁内の該並進可能部材の移動を制限する、請求項５０又は５１に記載の装置。
【請求項５４】
前記停止部材は、前記逆止弁室内にあり使用時に前記並進可能部材の面と係合する互いに等間隔に離間した一対のピンである、請求項５３に記載の装置。
【請求項５５】
前記並進可能部材は円筒形の板である、請求項４８に記載の装置。
【請求項５６】
前記並進可能部材はほぼ円筒形の板である、請求項４８に記載の装置。
【請求項５７】
前記並進可能部材は球形である、請求項４８に記載の装置。
【請求項５８】
前記並進可能部材はほぼ球形である、請求項４８に記載の装置。
【請求項５９】
前記並進可能部材はほぼ円錐形である、請求項４８に記載の装置。
【請求項６０】
アキュムレータ室をさらに含み、
前記アキュムレータ室は、前記入口と前記逆止弁室との間にあり、使用時に溶融物流を該入口から該逆止弁室へ移送する、請求項４５又は４６に記載の装置。
【請求項６１】
前記スクリュチップをスクリュの相補的な係合部材に固定する係合部材をさらに含む、請求項４５乃至４７のいずれか一項に記載の装置。
【請求項６２】
前記スクリュチップは、スクリュの端に一体形成される、請求項４５乃至４７のいずれか一項に記載の装置。
【請求項６３】
前記スクリュチップ体の外面に形成される溝と、
前記溝内に配置されて、使用時に前記スクリュチップをバレルの面に対してシールするシールと
をさらに含む、請求項４５乃至４７のいずれか一項に記載の装置。
【請求項６４】
前記逆止弁室はほぼ円筒形の側壁を含み、
前記並進可能部材はほぼ円筒形のディスクであり、
該ほぼ円筒形のディスクの直径は、該ほぼ円筒形の側壁の直径よりも小さい、請求項４９に記載の装置。
【請求項６５】
前記逆止弁室は面取り部分を含み、
前記並進可能部材はほぼ球形であり、
該並進可能部材の直径は、前記流れ停止位置で該面取り部分と係合する、請求項４９に記載の装置。
【請求項６６】
前記逆止弁室は円錐形部分を含み、前記並進可能部材はほぼ円錐形であり、円錐形セクションが、前記流れ停止位置で該円錐形部分と係合する、請求項４９に記載の装置。
【発明の詳細な説明】
【技術分野】
【０００１】
本発明は、スクリュチップに関し、より詳細には、成形システム装置のバレル内にある材料溶融物の流れを制御するスクリュチップに関する。例えば、成形システム装置は、プラスチック射出成形システム、又はチクソトロピー状態の金属を成形する金属射出成形システム、又はダイカスト成形システム用であり得る。
【背景技術】
【０００２】
［発明の背景］
スクリュの端に取り付けられる逆止弁を形成するスクリュチップ組立体は、当該技術分野において既知である。例えば、１９５９年５月１２日にWucherに発行された米国特許第２，８８５，７３４号がある。当該明細書は、２部品逆止弁を説明している。ディフューザヘッドが、スクリュの端に取り付けられる円形のディスク部材によって形成される。ディスクは、その周縁に沿って複数の半円形の開口を含む。ディスクのうち半円形の開口間の部分は、外方に延びてバレルの円筒内壁と係合し、バレル内に位置付けられるとスクリュの端にシール及び支持を提供する。半円形の開口は、バレルの円筒内壁と協働して、溶融材料流をディフューザヘッドの上流側からディフューザヘッドの下流側に通すことができるチャネルを形成する。逆止弁が、ねじボルトによってディフューザヘッドの下流側に取り付けられる第２のディスク部材によって形成される。第２のディスクは、その表面上に複数の円形の開口を含む。円形の開口は、ディフューザヘッドから離れると溶融材料流を通すことができ、ディフューザヘッドと係合すると溶融材料流を止める。第２のディスクの円形の周縁は、バレルの円筒内壁と係合して、バレル内のスクリュの端にシール及び支持を提供する。
【０００３】
従来技術のデバイスにはいくつかの問題がある。逆止弁を通る流路は、溶融物を剪断する複数の鋭い角を含む。流路は、溶融物が溜まる複数の領域も含み、これがさらに溶融物の劣化を引き起こす。スクリュは、バレルの円筒内壁と係合する逆止弁及びディフューザの周縁によって支持されるため、逆止弁が応力を受け磨耗する。逆止弁の外面及び逆止弁にあるねじボルトの周りの開口の内面は、磨耗する傾向がある。
【発明の開示】
【発明が解決しようとする課題】
【０００４】
したがって、改良型のスクリュチップ及び逆止弁が必要である。
【課題を解決するための手段】
【０００５】
［発明の概要］
本発明は多くの利点を有する。逆止弁は、製造及び逆止弁室内への組み付けが行いやすい。流れ位置と流れ遮断位置との間での逆止弁の移動は、動作時に逆止め弁の後ろ及び入口の狭い流路に材料溶融物があることにより抑えられる。逆止弁の３ピン支持体は、製造及びスクリュチップヘッドへの組み付けが行いやすい。スクリュチップヘッドの加工は単純化される。スクリュチップは、射出中の衝撃エネルギーにより良好に耐えることができる。逆止弁とバレルとの間の磨耗が減る。
【０００６】
本発明の第１の広い態様では、本発明は、成形システム装置で用いられるスクリュチップに関する。当該スクリュチップは、本体と、本体の入口と、本体の逆止弁室とを備える。逆止弁室は、入口と連通して流路を提供する。逆止弁室は、使用時に流れ位置と遮断位置との間で動作可能な並進可能部材と係合する面を有する。本体の端にある逆止弁室は、使用時に材料流を制御するように動作可能である。
【０００７】
本発明の別の広い態様では、本発明は、成形システム装置に関する。当該装置は、細長いスクリュと、スクリュチップ体と、スクリュチップ体の入口と、スクリュチップ体の逆止弁室とを備える。逆止弁室は、入口と連通して流路を提供する。逆止弁室は、使用時に流れ位置と遮断位置との間で動作可能な並進可能部材と係合する面を有する。スクリュチップ体の端にある逆止弁室は、使用時に材料流を制御するように動作可能である。
【０００８】
本発明の別の広い態様では、本発明は、成形システム装置に関する。当該装置は、バレルと、バレル内に配置されて、使用時に回転及び並進するように動作可能な細長いスクリュと、細長いスクリュの端に配置されるスクリュチップ体と、スクリュチップ体の入口と、スクリュチップ体の逆止弁室とを備える。逆止弁室は、入口と連通して流路を提供する。逆止弁室は、使用時に流れ位置と遮断位置との間で動作可能な並進可能部材と係合する面を有する。スクリュチップ体の端にある逆止弁室は、使用時に材料流を制御するように動作可能である。
【０００９】
本発明の代替的な一実施の形態では、スクリュチップは、本体に複数の入口を有する。逆止弁室は、軸を中心として本体の中央にあり、本体の複数の入口は、逆止弁室と連通する。本発明の好適な一実施の形態では、複数の入口は、本体の面取りに沿って等間隔に離間して６つある。
【００１０】
本発明の一実施の形態では、スクリュチップは、軸を中心として逆止弁室内に位置決めされる並進可能な部材を含む。
【００１１】
本発明の一実施の形態では、並進可能部材はシール面を含み、逆止弁室はシール面を含む。遮断位置において、並進可能部材のシール面は、逆止弁室のシール面と係合して、使用時に材料流を防止する。
【００１２】
本発明の一実施の形態では、スクリュチップは、支持ガイドを含む。支持ガイドは、本体及び並進可能部材と協働して、並進可能部材を軸を中心として逆止弁室内に位置決めし、且つ並進可能部材を使用時に流れ位置と遮断位置との間で動作させる。本発明の好適な実施の形態では、支持ガイドは、逆止弁室の円周に沿って等間隔に離間した３つのピンである。ピンは、並進可能部材の側壁領域と係合して、使用時に並進可能部材の移動を支持及び案内する。
【００１３】
本発明の一実施の形態では、スクリュチップは、停止部材を含む。停止部材は、本体及び並進可能部材と協働して、使用時に流れ位置にある並進可能部材の移動を制限する。本発明の好適な実施の形態では、停止部材は、逆止弁室内にあり使用時に並進可能部材の面と係合する互いに等間隔に離間した一対のピンである。
【００１４】
本発明の好適な一実施の形態では、並進可能な部材は円筒形の板である。本発明の代替的な一実施の形態では、並進可能な部材は球形である。本発明の別の代替的な実施の形態では、並進可能な部材はほぼ円筒形である。本発明の別の代替的な実施の形態では、並進可能な部材はほぼ球形である。本発明の別の代替的な実施の形態では、並進可能な部材はほぼ円錐形である。
【００１５】
本発明の一実施の形態では、スクリュチップはアキュムレータ室を含む。アキュムレータ室は、入口と逆止弁室との間にあり、使用時に入口から逆止弁室へ溶融物流を移送する。本発明の代替的な一実施の形態では、入口は逆止弁室に直接つながる。
【００１６】
本発明の一実施の形態では、スクリュチップは、当該スクリュチップをスクリュの相補的な係合部材に固定する係合部材を含む。本発明の別の実施の形態では、スクリュチップは、スクリュの端に一体形成される。
【００１７】
本発明の一実施の形態では、逆止弁室はほぼ円筒形の側壁を含み、並進可能部材はほぼ円筒形のディスクである。ほぼ円筒形のディスクの直径は、ほぼ円筒形の側壁の直径よりも小さい。
【００１８】
本発明の代替的な一実施の形態では、逆止弁部材は面取り部分を含む。並進可能な部材はほぼ球形である。並進可能な部材の直径は、流れ停止位置で面取り部分と係合する。本発明の別の代替的な実施の形態では、逆止弁室は円錐形部分を含み、並進可能な部材はほぼ円錐形であり、並進可能な部材の円錐形セクションが、使用時に流れ停止位置で円錐形部分と係合する。
【００１９】
次に、添付図面を参照して本発明の例示的な実施の形態を説明する。
【発明を実施するための最良の形態】
【００２０】
［好適な実施形態の詳細な説明］
本発明を、図１及び図２を参照して示すような一実施形態に従って説明する。スクリュチップは、全体的に１０で示される。スクリュチップ１０は、接続部１２セクションと、スクリュチップヘッド３６セクションとを含む。接続部１２は、スクリュチップ１０にスクリュ（図示せず）を取り付けて保持するためのものである。スクリュチップヘッド３６は、入口４４（又は複数の入口）、中央アキュムレータ室４６、及び逆止弁室４８（図３を参照）を収容する。スクリュチップヘッド３６は、組み立て時に逆止弁６４も収容する。
【００２１】
本発明の接続部１２及びスクリュチップヘッド３６を、図２の線Ａ−Ａに沿った図３に示す断面図を参照してさらに説明する。接続部１２は、ほぼ円筒形の本体を有する。接続部１２は、係合部材３２、例えば、円筒形の端の直径とほぼ同じに形成される（formed about a diameter）ねじを有する。係合部材３２は、スクリュ（図示せず）の端に位置する円筒形のボアの相補的なねじと協働して、スクリュに対するスクリュチップの着脱を行う。
【００２２】
本発明の一実施形態では、接続部１２は、係合部材３２に隣接して、接続部１２の別の円筒形部分に形成される任意のガイド部材３４も含む。係合部材３２の直径は、ガイド部材３４の直径よりも小さい。ガイド部材は、スクリュチップ１０とスクリュとの組み立て時に、中心長手方向軸を中心としてスクリュチップ１０をバレルと位置合わせさせる。
【００２３】
スクリュチップヘッド３６の一端にはシールストップ６６が設けられる。これは、組み立て時にスクリュ（図示せず）との係合限界を提供して、スクリュチップ１０をスクリュに対して堅固に保持し、且つ材料溶融物が接続部１２から漏れないようシールする。
【００２４】
ガイド部材３４に隣接して（又は場合によっては係合部材３２に隣接して）スクリュチップヘッド３６がある。スクリュチップヘッド３６の一端には面取り３８が形成される。面取り３８、直径４２、スクリュの端、及びバレルの円筒壁部材は、流路４０を形成する（図５又は図６を参照）。少なくとも１つの入口４４が、スクリュチップヘッド３６の面取り３８及び本体に設けられる。入口４４の口元は、流路４０に配置される。入口４４は、中心長手方向軸から中央アキュムレータ室４６まで約４５°の角度で延びる。代替的に、入口４４は、逆止弁室４８まで直接、角度を付けて延びてもよい。入口４４は、スクリュチップヘッド３６の本体を穿孔することによって形成される。好ましくは、６つの入口が本体の円周に沿って等間隔に離間する。
【００２５】
アキュムレータ室４６は、スクリュチップヘッド３６の中心長手方向軸を中心として形成される。アキュムレータ室４６は、少なくとも１つの入口４４に接続され、動作中に材料溶融物を蓄積する。アキュムレータ室４６はまた、複数の入口４４からの種々の溶融物流を或る程度混合する。アキュムレータ室４６は、中心長手方向軸を中心としてスクリュチップヘッド３６の本体にボアを穿孔又は加工することによって形成される。
【００２６】
スクリュチップヘッド３６の端には逆止弁室４８が形成される。逆止弁室４８は、アキュムレータ室４６に接続され、動作中に溶融物流がアキュムレータ室４６から逆止弁室３８へ流れることを可能にする。逆止弁室４８は、側壁５０を有するほぼ円筒形のボアである。逆止弁室３８の直径は、アキュムレータ室４６の直径よりも大きい。円筒形のボアの一端の下壁にはシール面５２が形成される。下壁は、アキュムレータ室４６の開口を囲む。逆止弁室４８は、スクリュチップヘッド３６の端で開いていることで、材料溶融物の出口５４を提供する。アキュムレータ室４６は、中心長手方向軸を中心としてスクリュチップヘッド３６の本体にボアを加工することによって形成される。アキュムレータ室４６は、中央アキュムレータ室４６につながる。スクリュチップヘッドを通る流路は、入口４４、アキュムレータ室４６、及び逆止弁４８を含む。代替的に、スクリュチップヘッド３６を通る流路は、入口４４及び逆止弁室４８を含む。
【００２７】
スクリュチップヘッド３６は、支持面５６を含む。支持面５６は、スクリュチップヘッド３６の細長い大径セクションであり、バレル（図示せず）内でスクリュ（図示せず）の端を支持及び案内する。スクリュチップヘッド３６の支持面５６には溝５８が形成される。溝は、シール６０を受け入れて、スクリュチップヘッド３６とバレルの円筒内壁との間にシールを提供する。シール６０は、動作時に、材料溶融物がスクリュチップヘッド３６の外面に漏れることを防止する。本発明の一実施形態では、シール６０はピストンリングである。
【００２８】
スクリュチップヘッド３６は、少なくとも１つの傾斜入口４４、アキュムレータ室３６、及び逆止弁室４８を収容する長さ及び直径になっている。逆止弁室４８の周りにはスクリュチップヘッド３６の縮径部６２が設けられる。これにより、バレルの内側壁とスクリュチップヘッド３６の外面との間の接触面積が制限され、スクリュチップヘッド３６とバレルの内側壁との間の摩擦が減る。
【００２９】
本発明の一実施形態では、逆止弁６４は、射出圧力に耐えるのに適した厚さのほぼ円筒形のディスクである。逆止弁６４は、本体３０の中心軸を中心として配置され、逆止弁室４８内に位置付けられる。逆止弁６４の直径は、アキュムレータ室４６と逆止弁室４８との間の開口を覆い、且つシール面５２の上に適当な距離だけ延びるようなものである。逆止弁６４の面７２は、動作中にアキュムレータ室４６から逆止弁室４８への溶融物流を制御するように、シール面５２と相補的である。
【００３０】
逆止弁６４は、複数の支持ガイド６８、好ましくは３つの等間隔に離間した支持ガイドによって支持される。本発明の一実施形態では、支持ガイド６８は、側壁５０の厚さを貫通する開口７０に圧入される短いだぼ又はピンである。支持ガイド６８の頭部は、逆止弁６４の側面と係合して、逆止弁６４を流れ位置と遮断位置との間で動かしながら中心水平軸を中心として逆止弁６４を支持及び位置合わせする。逆止弁６４は、開位置で図示されており、閉位置に向けて後方に動かされると、シール面５２が逆止弁６４の相補的な面と係合する。
【００３１】
逆止弁室４８の出口５４の前に、停止部材７４が位置付けられる。好ましくは、停止部材７４は、側壁７０の厚さを貫通する開口７６に圧入されて逆止弁室内で等間隔に離間した一対の長いだぼ又はピンである。逆止弁６４の上面が停止部材７４と係合することで、流れ位置で逆止弁６４が止められる。
【００３２】
次に図４を参照して、本発明の代替的な一実施形態を説明する。面取り部分８０が、スクリュチップヘッド３６のアキュムレータ室４６と逆止弁室４８との間に形成される。面取り部分８０は、ほぼ球形の逆止弁７８に対するシール面を提供する。ほぼ球形の逆止弁７８は、逆止弁室４８の後壁面にある相補的なボアに圧入される複数の外方に延びるピン６８によって支持及び案内される。ほぼ球形の逆止弁７８は、遮断位置で図示されており、流れ位置に向けて前方に移動させることができる。流れ位置にある場合、停止部材７４は、ほぼ球形の逆止弁７８の表面と接触することによって、ほぼ球形の逆止弁７８の移動を制限する。
【００３３】
次に図７を参照して、本発明の別の代替的な実施形態を説明する。円錐形部分８１が、スクリュチップヘッド３６のアキュムレータ室４６と逆止弁室４８との間に形成される。円錐形部分８１は、ほぼ円錐形の逆止弁７９に対するシール面を提供する。ほぼ円錐形の逆止弁７９は、一端に円錐形セクションを有し、第２の端に円錐形セクション端とは反対側に平面を有する円筒形セクションを有する。ほぼ円錐形の逆止弁７９は、逆止弁室４８の後壁面にある相補的なボアに圧入される複数の外方に延びるピン６８によって支持及び案内される。ほぼ円錐形の逆止弁７９は、遮断位置で図示されており、流れ位置に向けて前方に移動させることができる。流れ位置にある場合、停止部材７４は、ほぼ円錐形の逆止弁７９の平面と接触することによって、ほぼ円錐形の逆止弁７９の移動を制限する。
【００３４】
スクリュチップ１０は、射出成形環境に耐えることができる金属材料から加工される。スクリュチップは、スクリュとは別個に製造されてから、接続部１２を中心としてスクリュチップ１０をスクリュに螺入することによってスクリュと組み立てられることが好ましい。代替的に、スクリュチップ１０は、完成部品としてスクリュと一体製造することができる。
【００３５】
逆止弁（円筒形の板弁又はほぼ球形の弁）は、在庫品であることが好ましい。しかしながら、これらは、円錐形の逆止弁のように金属材料から加工することもできる。組み立てには、逆止弁を逆止弁室４８に入れることが必要である。次に、ピン６８をそれぞれの開口に圧入して、水平軸を中心として逆止弁を位置決め及び中心合わせする。代替的に、ピン６８は、それぞれの開口に螺入してもよい。次に、停止部材７２をそれぞれの開口に圧入する。代替的に、停止部材７２は、それぞれの開口に螺入してもよい。組み立てを完了するには、シール６０を溝５８内に組み付ける。
【００３６】
プラスチック成形装置で用いられる代替的な逆止弁の形状及び構成は、プラスチック材料溶融物の流れに関するよどみ点又は流れトラップを形成しない形状及び構成とすべきであることを、当業者であれば理解するであろう。例えば、プラスチック樹脂には、よどみ又は流れトラップ領域において劣化し焼けるものがある。用途及び樹脂によっては、これは望ましくない場合があるため、逆止弁の形状及び構成は、よどみ点及び流れトラップを回避しなければならない。しかしながら、金属成形装置で用いられる代替的な逆止弁は、金属材料溶融物の流れがよどみ又は流れトラップ領域において劣化し焼けることがないため、この制限を受けない。
【００３７】
次にスクリュチップ１０の動作を、図５及び図６を参照して説明する。スクリュチップ１０は、スクリュ１４の端に組み付けられ、バレル１６の円筒形の長さ方向の開口２２内に組み付けられる。これにより、成形システムの射出ユニットが形成される。バレルヘッド１８が、バレル１６の端に取り付けられて図示されている。代替的に、バレルヘッド１８及びバレル１６は、単一構造であってもよい。スクリュチップの前方には、バレルの出口２４に向かって延びる蓄積区域２０がある。駆動装置がスクリュ１４を動作させて、スクリュ１４の回転及び並進の両方を行わせる。スクリュ１４は、材料溶融物を作って蓄積区域２０に進めるように回転する。次に、スクリュ１４は、バレル内で前方に並進して、蓄積区域２０から材料溶融物を送り出す。
【００３８】
次に図５を参照すると、逆止弁が流れ位置で示されている。スクリュ１４を回転させると、材料溶融物が流路４０に向かって進む。溶融物は、進入溶融物流２６として入口４４に入る。進入溶融物流２６は、中央アキュムレータ室４６内に前進し続け、そこで収束して単一材料流になる。単一材料流は、逆止弁６４の後面に対して作用して、停止部材７４が逆止弁６４の前方移動を阻止するまで逆止弁６４を支持ガイド６８上で前方に移動させる。単一材料流は、逆止弁６４の周縁の周りを流れ、流路２８を通ってバレル１６の蓄積区域２０に流入する。溶融物が蓄積区域２０内に蓄積し続けるにつれて、スクリュ１４は後方に移動する。これは、所望の材料ショットが蓄積されてスクリュ１４の回転が止まるまで続く。
【００３９】
次に図６を参照すると、逆止弁６４が流れ停止位置で示されている。スクリュ１４が蓄積区域２０内の材料溶融物を射出するように前方に並進し始めると、蓄積区域２０内の材料溶融物は、逆止弁６４の前面に対して作用し、逆止弁の面７２がシール面５２と係合するまで逆止弁６４を後方に移動させる。これにより、それ以上の溶融物が蓄積区域２０に流入すること、及び材料が中央アキュムレータ室４６に逆流することが防止される。スクリュ１４が前方に並進し続けることで、材料溶融物が蓄積区域２０からバレル出口２４を通って金型内に送り込まれる。
【００４０】
当然ながら、上記の説明は単なる例として与えられており、本発明の範囲内で詳細の変更を行うことができることが理解されるであろう。
【図面の簡単な説明】
【００４１】
【図１】スクリュチップの概略側面図である。
【図２】スクリュチップの出口端の概略端面図である。
【図３】逆止弁の好適な実施形態を示す、図２の線Ａ−Ａに沿ったスクリュチップの概略断面図である。
【図４】逆止弁の代替的な一実施形態を示す、図２の線Ａ−Ａに沿ったスクリュチップの概略断面図である。
【図５】流れ位置にある逆止弁を示す、バレル組立体の概略断面図である。
【図６】流れ停止位置にある逆止弁を示す、バレル組立体の概略断面図である。
【図７】逆止弁の代替的な一実施形態を示す、図２の線Ａ−Ａに沿ったスクリュチップの概略断面図である。
【図１】
2007537060.tif 000003
【図２】
2007537060.tif 000004
【図３】
2007537060.tif 000005
【図４】
2007537060.tif 000006
【図５】
2007537060.tif 000007
【図６】
2007537060.tif 000008
【図７】
2007537060.tif 000009
【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
成形システム装置で用いられるスクリュチップ（１０）であって、
本体（３６）と、
該本体（３６）の入口（４４）と、
一つの出口(５４)で終端している、該本体（３６）の逆止弁室（４８）と
を備え、該逆止弁室（４８）は、該入口と該出口（５４）と連通して流路を提供し、
該逆止弁室は、使用時に流れ位置と遮断位置との間で動作可能な並進可能部材と係合する面を有し、
該本体（３６）の前記端にある該逆止弁室（４８）は、使用時に該入口（４４）からの材料流を収束して該出口（５４）で一つの材料流にするように動作可能である、成形システム装置で用いられるスクリュチップ。
【請求項２】
前記本体（３６）に複数の入口（４４）をさらに含み、
前記逆止弁室（４８）は、軸を中心として該本体（３６）の中央にあり、該本体（３６）の該複数の入口（４４）は、該逆止弁室（４８）と連通する、請求項１に記載のスクリュチップ（１０）。
【請求項３】
前記入口（４４）は、前記本体（３６）の面取りに沿って等間隔に離間した６つの別個の入口（４４）である、請求項１に記載のスクリュチップ（１０）。
【請求項４】
並進可能部材をさらに含み、
該並進可能部材は、前記軸を中心として前記逆止弁室（４８）内に位置決めされる、請求項１乃至３のいずれか一項に記載のスクリュチップ（１０）。
【請求項５】
前記並進可能部材はシール面（７２）を含み、
前記逆止弁室（４８）はシール面（５２）を含み、
前記遮断位置において、該並進可能部材の該シール面（７２）は、該逆止弁室（４８）の該シール面（５２）と係合して、使用時に材料流を防止する、請求項４に記載のスクリュチップ（１０）。
【請求項６】
支持ガイドをさらに含み、該支持ガイドは、前記本体（３６）及び前記並進可能部材と協働して、該並進可能部材を前記軸を中心として前記逆止弁室（４８）内に位置決めし、且つ該並進可能部材を使用時に前記流れ位置と前記遮断位置との間で動作させる、請求項４に記載のスクリュチップ（１０）。
【請求項７】
支持ガイドをさらに含み、該支持ガイドは、前記本体（３６）及び前記並進可能部材と協働して、該並進可能部材を前記軸を中心として前記逆止弁室（４８）内に位置決めし、且つ該並進可能部材を使用時に前記流れ位置と前記遮断位置との間で動作させる、請求項５に記載のスクリュチップ（１０）。
【請求項８】
前記支持ガイドは、前記逆止弁室（４８）の円周に沿って等間隔に離間した３つのピン（６８）であり、該ピン（６８）は、前記並進可能部材の側壁領域と係合して、使用時に前記並進可能部材の移動を支持及び案内する、請求項６又は７に記載のスクリュチップ（１０）。
【請求項９】
停止部材をさらに含み、該停止部材は、前記本体（３６）及び前記並進可能部材と協働して、使用時に前記流れ位置にある前記逆止弁室（４８）内の該並進可能部材の移動を制限する、請求項６又は７に記載のスクリュチップ（１０）。
【請求項１０】
前記停止部材は、前記逆止弁室（４８）内にあり使用時に前記並進可能部材の面と係合する互いに等間隔に離間した一対のピン（７４）である、請求項９に記載のスクリュチップ（１０）。
【請求項１１】
前記並進可能部材は円筒形の板（６４）である、請求項４に記載のスクリュチップ（１０）。
【請求項１２】
前記並進可能部材は円筒形の板（６４）である、請求項４に記載のスクリュチップ（１０）。
【請求項１３】
前記並進可能部材は球形（７８）である、請求項４に記載のスクリュチップ（１０）。
【請求項１４】
前記並進可能部材はほぼ球形（７８）である、請求項４に記載のスクリュチップ（１０）。
【請求項１５】
前記並進可能部材はほぼ円錐形である、請求項４に記載のスクリュチップ（１０）。
【請求項１６】
アキュムレータ室（４６）をさらに含み、
該アキュムレータ室（４６）は、前記入口（４４）と前記逆止弁室（４８）との間にあり、使用時に溶融物流を該入口（４４）から該逆止弁室（４８）へ移送する、請求項９に記載のスクリュチップ（１０）。
【請求項１７】
前記スクリュチップ（１０）をスクリュ（１４）の相補的な係合部材（３２）に固定する係合部材をさらに含む、請求項１乃至３のいずれか一項に記載のスクリュチップ（１０）。
【請求項１８】
スクリュ（１４）の端に一体形成される、請求項１乃至３のいずれか一項に記載のスクリュチップ（１０）。
【請求項１９】
前記本体（３６）の外面に形成される溝（５８）と、
該溝（５８）内に配置されて、使用時に前記スクリュチップ（１０）をバレル（１６）の面に対してシールするシール（６０）と
をさらに含む、請求項１乃至３のいずれか一項に記載のスクリュチップ（１０）。
【請求項２０】
前記逆止弁室（４８）はほぼ円筒形の側壁（５０）を含み、
前記並進可能部材はほぼ円筒形のディスク（６４）であり、
該ほぼ円筒形のディスク（６４）の直径は、該ほぼ円筒形の側壁（５０）の直径よりも小さい、請求項５に記載のスクリュチップ（１０）。
【請求項２１】
前記逆止弁室（４８）は面取り部分を含み、
前記並進可能部材はほぼ球形（７８）であり、
該並進可能部材の直径は、使用時に前記流れ停止位置で該面取り部分と係合する、請求項５に記載のスクリュチップ（１０）。
【請求項２２】
前記逆止弁室（４８）は円錐形部分（７９）を含み、前記並進可能部材はほぼ円錐形であり、円錐形セクションが、使用時に前記流れ停止位置で該円錐形部分と係合する、請求項５に記載のスクリュチップ（１０）。
【請求項２３】
成形システム装置であって、
細長いスクリュ（１４）と、
スクリュチップ体（３６）と、
該スクリュチップ体（３６）の入口（４４）と、
一つの出口(５４)で終端している、該前記スクリュチップ体（３６）の逆止弁室（４８）と
を備え、該逆止弁室（４８）は、該入口（４４）と該出口（５４）と連通して流路を提供し、
該逆止弁室（４８）は、使用時に流れ位置と遮断位置との間で動作可能な並進可能部材と係合する面を有し、
該前記スクリュチップ体（３６）の前記端にある該逆止弁室（４８）は、使用時に該入口（４４）からの材料流を収束して該出口（５４）で一つの材料流にするように動作可能である、成形システム装置。
【請求項２４】
前記スクリュチップ体（３６）に複数の入口（４４）をさらに含み、
前記逆止弁室（４８）は、軸を中心として該本前記スクリュチップ体（３６）の中央にあり、該本スクリュチップ体（３６）の該複数の入口（４４）は、該逆止弁室（４８）と連通する、請求項２３に記載の装置。
【請求項２５】
前記入口（４４）は、前記本スクリュチップ体（３６）の面取り（３８）に沿って等間隔に離間した６つの別個の入口（４４）である、請求項２３に記載の装置。
【請求項２６】
並進可能部材をさらに含み、
該並進可能部材は、前記軸を中心として前記逆止弁室（４８）内に位置決めされる、請求項２３乃至２５のいずれか一項に記載の装置。
【請求項２７】
前記並進可能部材はシール面（７２）を含み、
前記逆止弁室（４８）はシール面（５２）を含み、
前記遮断位置において、前記並進可能部材の前記シール面（７２）は、前記逆止弁室（４８）の前記シール面（５２）と係合して、使用時に材料流を防止する、請求項２６に記載の装置。
【請求項２８】
支持ガイドをさらに含み、該支持ガイドは、前記本スクリュチップ体（３６）及び前記並進可能部材と協働して、該並進可能部材を前記軸を中心として前記逆止弁室（４８）内に位置決めし、且つ該並進可能部材を使用時に前記流れ位置と前記遮断位置との間で動作させる、請求項２６に記載の装置。
【請求項２９】
支持ガイドをさらに含み、該支持ガイドは、前記本スクリュチップ体（３６）及び前記並進可能部材と協働して、前記並進可能部材を前記軸を中心として前記逆止弁室（４８）内に位置決めし、且つ該並進可能部材を使用時に前記流れ位置と前記遮断位置との間で動作させる、請求項２７に記載の装置。
【請求項３０】
前記支持ガイドは、前記逆止弁室（４８）の円周に沿って等間隔に離間した３つのピン（６８）であり、該ピン（６８）は、前記並進可能部材の側壁領域と係合して、使用時に該並進可能部材の移動を支持及び案内する、請求項２８又は２９に記載の装置。
【請求項３１】
停止部材をさらに含み、該停止部材は、前記本スクリュチップ体（３６）及び前記並進可能部材と協働して、使用時に前記流れ位置にある前記逆止弁室（４８）内の該並進可能部材の移動を制限する、請求項２８又は２９に記載の装置。
【請求項３２】
前記停止部材は、前記逆止弁室（４８）内にあり使用時に前記並進可能部材の面と係合する互いに等間隔に離間した一対のピン（７４）である、請求項３１に記載の装置。
【請求項３３】
前記並進可能部材は円筒形の板（６４）である、請求項２６に記載の装置。
【請求項３４】
前記並進可能部材はほぼ円筒形の板（６４）である、請求項２６に記載の装置。
【請求項３５】
前記並進可能部材は球形（７８）である、請求項２６に記載の装置。
【請求項３６】
前記並進可能部材はほぼ球形（７８）である、請求項２６に記載の装置。
【請求項３７】
前記並進可能部材はほぼ円錐形（７９）である、請求項２６に記載の装置。
【請求項３８】
アキュムレータ室（４６）をさらに含み、
該アキュムレータ室（４６）は、前記入口（４４）と前記逆止弁室（４８）との間にあり、使用時に溶融物流を該入口（４４）から該逆止弁室（４８）へ移送する、請求項２３又は２４に記載の装置。
【請求項３９】
前記スクリュチップ（１０）をスクリュ（１４）の相補的な係合部材に固定する係合部材（３２）をさらに含む、請求項２３乃至２５のいずれか一項に記載の装置。
【請求項４０】
前記スクリュチップ（１０）は、スクリュ（１４）の端に一体形成される、請求項２３乃至２５のいずれか一項に記載の装置。
【請求項４１】
前記スクリュチップ体（３６）の外面に形成される溝（５８）と、
該溝（５８）内に配置されて、使用時に前記スクリュチップ（１０）をバレル（１６）の面に対してシールするシール（６０）と
をさらに含む、請求項２３乃至２５のいずれか一項に記載の装置。
【請求項４２】
前記逆止弁室（４８）はほぼ円筒形の側壁（５０）を含み、
前記並進可能部材はほぼ円筒形のディスク（６４）であり、
該ほぼ円筒形のディスク（６４）の直径は、該ほぼ円筒形の側壁（５０）の直径よりも小さい、請求項２７に記載の装置。
【請求項４３】
前記逆止弁室（４８）は面取り部分を含み、
前記並進可能部材はほぼ球形（７８）であり、
該並進可能部材の直径は、前記流れ停止位置で該面取り部分と係合する、請求項２７に記載の装置。
【請求項４４】
前記逆止弁室（４８）は円錐形部分を含み、前記並進可能部材はほぼ円錐形（７９）であり、円錐形セクションが、使用時に前記流れ停止位置で該円錐形部分と係合する、請求項２７に記載の装置。
【請求項４５】
成形システム装置であって、
バレル（１６）と、
前記バレル（１６）内に配置されて、使用時に回転及び並進するように動作可能な細長いスクリュ（１４）と、
前記細長いスクリュ（１４）の端に配置されるスクリュチップ体（３６）と、
該スクリュチップ体（３６）の入口（４４）と、
一つの出口(５４)で終端している、該スクリュチップ体（３６）の逆止弁室（４８）と
を備え、該逆止弁室（４８）は、該入口（４４）と該出口（５４）と連通して流路を提供し、
該逆止弁室（４８）は、使用時に流れ位置と遮断位置との間で動作可能な並進可能部材と係合する面を有し、
該スクリュチップ体（３６）の前記端にある該逆止弁室は、使用時に該入口（４４）からの材料流を収束して該出口（５４）で一つの材料流にするように動作可能である、成形システム装置。
【請求項４６】
前記スクリュチップ体（３６）に複数の入口（４４）をさらに含み、
前記逆止弁室（４８）は、軸を中心として該スクリュチップ体（３６）の中央にあり、該スクリュチップ体（３６）の該複数の入口（４４）は、該逆止弁室（４８）と連通する、請求項４５に記載の装置。
【請求項４７】
前記入口（４４）は、前記スクリュチップ体（３６）の面取り（３８）に沿って等間隔に離間した６つの別個の入口（４４）である、請求項４５に記載の装置。
【請求項４８】
並進可能部材をさらに含み、
前記並進可能部材は、前記軸を中心として前記逆止弁室（４８）内に位置決めされる、請求項４５乃至４７のいずれか一項に記載の装置。
【請求項４９】
前記並進可能部材はシール面（７５）を含み、
前記逆止弁室（４８）はシール面（７２）を含み、
前記遮断位置において、該並進可能部材の該シール面（７２）は、該逆止弁室（４８）の該シール面（５２）と係合して、使用時に材料流を防止する、請求項４８に記載の装置。
【請求項５０】
支持ガイドをさらに含み、該支持ガイドは、前記スクリュチップ体（３６）及び前記並進可能部材と協働して、該並進可能部材を前記軸を中心として前記逆止弁室（４８）内に位置決めし、且つ該並進可能部材を使用時に前記流れ位置と前記遮断位置との間で動作させる、請求項４８に記載の装置。
【請求項５１】
支持ガイドをさらに含み、該支持ガイドは、前記スクリュチップ体（３６）及び前記並進可能部材と協働して、該並進可能部材を前記軸を中心として前記逆止弁室（４８）内に位置決めし、且つ該並進可能部材を使用時に前記流れ位置と前記遮断位置との間で動作させる、請求項４９に記載の装置。
【請求項５２】
前記支持ガイドは、前記逆止弁室（４８）の円周に沿って等間隔に離間した３つのピン（６８）であり、該ピン（６８）は、前記並進可能部材の側壁領域と係合して、使用時に該並進可能部材の移動を支持及び案内する、請求項５０又は５１に記載の装置。
【請求項５３】
停止部材をさらに含み、該停止部材は、前記スクリュチップ体（３６）及び前記並進可能部材と協働して、使用時に前記流れ位置にある前記逆止弁室（４８）内の該並進可能部材の移動を制限する、請求項５０又は５１に記載の装置。
【請求項５４】
前記停止部材は、前記逆止弁室（４８）内にあり使用時に前記並進可能部材の面と係合する互いに等間隔に離間した一対のピン（７４）である、請求項５３に記載の装置。
【請求項５５】
前記並進可能部材は円筒形の板（６４）である、請求項４８に記載の装置。
【請求項５６】
前記並進可能部材はほぼ円筒形の板（６４）である、請求項４８に記載の装置。
【請求項５７】
前記並進可能部材は球形（７８）である、請求項４８に記載の装置。
【請求項５８】
前記並進可能部材はほぼ球形（７８）である、請求項４８に記載の装置。
【請求項５９】
前記並進可能部材はほぼ円錐形（７９）である、請求項４８に記載の装置。
【請求項６０】
アキュムレータ室（４６）をさらに含み、
前記アキュムレータ室（４６）は、前記入口（４４）と前記逆止弁室（４８）との間にあり、使用時に溶融物流を該入口（４４）から該逆止弁室（４８）へ移送する、請求項４５又は４６に記載の装置。
【請求項６１】
前記スクリュチップ（１０）をスクリュ（１４）の相補的な係合部材に固定する係合部材（３２）をさらに含む、請求項４５乃至４７のいずれか一項に記載の装置。
【請求項６２】
前記スクリュチップ（１０）は、スクリュ（１４）の端に一体形成される、請求項４５乃至４７のいずれか一項に記載の装置。
【請求項６３】
前記スクリュチップ体（３６）の外面に形成される溝（５８）と、
前記溝（５８）内に配置されて、使用時に前記スクリュチップ（１０）をバレル（１６）の面に対してシールするシール（６０）と
をさらに含む、請求項４５乃至４７のいずれか一項に記載の装置。
【請求項６４】
前記逆止弁室（４８）はほぼ円筒形の側壁（５０）を含み、
前記並進可能部材はほぼ円筒形のディスク（６４）であり、
該ほぼ円筒形のディスク（６４）の直径は、該ほぼ円筒形の側壁（５０）の直径よりも小さい、請求項４９に記載の装置。
【請求項６５】
前記逆止弁室（４８）は面取り部分を含み、
前記並進可能部材はほぼ球形（７８）であり、
該並進可能部材の直径は、前記流れ停止位置で該面取り部分と係合する、請求項４９に記載の装置。
【請求項６６】
前記逆止弁室（４８）は円錐形部分を含み、前記並進可能部材はほぼ円錐形（７９）であり、円錐形セクションが、前記流れ停止位置で該円錐形部分と係合する、請求項４９に記載の装置。
【国際調査報告】
2007537060.tif 000010
2007537060.tif 000011